(57)【要約】      （修正有）【課題】光デイスクから得られるジッター量にもとづき、光デイスクの回転速度を調整する光デイスク再生装置を提供する。【解決手段】光ディスクを所定の回転速度で回転させ、光ディスクからの反射光から得られる信号に基づき、ジッター量を検出するジッター量検出手段と、ジッター量に基づき、光ディスクの回転速度を調整する回転速度調整手段とを備える。【選択図】      図３
2004310909.tif 000002
【特許請求の範囲】
【請求項１】
光ディスクを所定の回転速度で回転させ、当該光ディスクからの反射光に基づき記録信号の再生を行う光ディスク再生装置において、
前記反射光から得られる信号に基づき、ジッター量を検出するジッター量検出手段と、
前記ジッター量に基づき、前記光ディスクの前記回転速度を調整する回転速度調整手段と、
を備えることを特徴とする光ディスク再生装置。
【請求項２】
前記回転速度調整手段は、前記光ディスクの前記再生に先だち、前記回転速度の前記調整を実行することを特徴とする請求項１記載の光ディスク再生装置。
【請求項３】
前記回転速度調整手段は、前記ジッター量が閾値以下の場合、前記回転速度を倍速に調整することを特徴とする請求項１または２に記載の光ディスク再生装置。
【請求項４】
光ディスクを所定の回転速度で回転させ、当該光ディスクからの反射光に基づき記録信号の再生を行う光ディスク再生装置において、
前記反射光から得られる信号に基づき、エラーレート量を検出するエラーレート量検出手段と、
前記エラーレート量に基づき、前記光ディスクの前記回転速度を調整する回転速度調整手段と、
を備えることを特徴とする光ディスク再生装置。
【請求項５】
前記回転速度調整手段は、前記光ディスクの前記再生中において、前記回転速度の前記調整を実行することを特徴とする請求項４記載の光ディスク再生装置。
【請求項６】
前記回転速度調整手段は、前記エラーレート量が閾値以下の場合、前記回転速度を倍速に調整することを特徴とする請求項４または５に記載の光ディスク再生装置。
【請求項７】
光ディスクを所定の回転速度で回転させ、当該光ディスクからの反射光に基づき記録信号の再生を行う光ディスク再生装置において、
前記反射光から得られる信号に基づき、ジッター量を検出するジッター量検出手段と、
前記ジッター量に基づき、前記光ディスクの前記回転速度を調整する回転速度調整手段と、
前記反射光から得られる信号に基づき、エラーレート量を検出するエラーレート量検出手段と、
前記エラーレート量に基づき、前記光ディスクの前記回転速度を調整する回転速度調整手段と、
を備えることを特徴とする光ディスク再生装置。
【請求項８】
請求項１乃至７のいずれかに記載の光ディスク再生装置に用られるマイクロコンピュータであって、
少なくとも前記回転速度調整手段として機能することを特徴とするマイクロコンピュータ。
【請求項９】
光ディスクを所定の回転速度で回転させ、当該光ディスクからの反射光に基づき記録信号の再生を行う光ディスク再生装置の回転速度制御方法において、
前記反射光から得られる信号に基づき、ジッター量を検出し、
前記ジッター量に基づき、前記光ディスクの前記回転速度を調整する、
ことを特徴とする光ディスク再生装置の回転速度制御方法。
【請求項１０】
光ディスクを所定の回転速度で回転させ、当該光ディスクからの反射光に基づき記録信号の再生を行う光ディスク再生装置の回転速度制御方法において、
前記反射光から得られる信号に基づき、エラーレート量を検出し、
前記エラーレート量に基づき、前記光ディスクの前記回転速度を調整する、
ことを特徴とする光ディスク再生装置の回転速度制御方法。
【請求項１１】
光ディスクを所定の回転速度で回転させ、当該光ディスクからの反射光に基づき記録信号の再生を行う光ディスク再生装置の回転速度制御方法において、
前記反射光から得られる信号に基づき、ジッター量を検出し、
前記ジッター量に基づき、前記光ディスクの前記回転速度を調整し、
前記反射光から得られる信号に基づき、エラーレート量を検出し、
前記エラーレート量に基づき、前記光ディスクの前記回転速度を調整する、
ことを特徴とする光ディスク再生装置の回転速度制御方法。
【発明の詳細な説明】
【０００１】
【発明の属する技術分野】
本発明は、光ディスク再生装置、マイクロコンピュータ、及び光ディスク再生装置の回転速度制御方法に関する。
【０００２】
【従来の技術】
光ディスク装置は、光ディスクの種類に応じた規格に基づき定められた所定の線速度（回転速度）で光ディスクを回転させ、これに記録された信号を再生する（例えば、特許文献１参照。）。
すなわち、図１に示すように、光ディスク１の再生装置は、ＤＳＰ４は、マイコン８から指令信号ＣＳを受けるとドライバ５に制御信号（フォーカスバランス信号ＦＢＡＬ，トラッキングバランス信号ＴＢＡＬ，モータ制御信号ＭＴＲ）を出力する。これら制御信号ＦＢＡＬ，ＴＢＡＬ，ＭＴＲに基づき、ドライバ５は、光ピックアップ２及びスピンドルモータ１０を駆動する。その結果、光ディスク１は所定の回転速度で回転するとともに、光ピックアップ２は、光ディスク１のリードイン領域に移動する。この光ピックアップ２は、光ディスク１にレーザ光を照射し、その反射光を受光することで、ＲＦ信号（反射光から得られる信号）を読み取る。ＲＦアンプ３は、光ピックアップ２が読み取ったＲＦ信号を増幅してＤＳＰ４に出力する。この読み取ったＲＦ信号に応じ、ＤＳＰ４のサーボ回路９は、光ピックアップ２のフォーカスを光ディスク１０のピット面に合わせるよう制御信号を生成し、フォーカシング・サーボ及びトラッキング・サーボを確立する。
【０００３】
【特許文献１】
特開平２０００−２９３８５５号公報
【０００４】
【発明が解決しようとする課題】
しかしながら、ピット精度が所定基準に達していない低品質な光ディスクや、信号記録面に傷等の障害が存在する粗悪な光ディスクを再生しようとした場合、問題が生じる。すなわち、低品質若しくは粗悪な光ディスクを再生しようとした場合、十分な強度の反射光が得られないため、ＲＦ信号が十分なレベルに至らないのである。その結果、エラーレート量が増大し、プレイアビリティが大幅に低下するといった問題があった。
【０００５】
【課題を解決するための手段】
本発明に係る光ディスク再生装置は、光ディスクを所定の回転速度で回転させ、当該光ディスクからの反射光に基づき記録信号の再生を行うのであって、前記反射光から得られる信号に基づき、ジッター量を検出するジッター量検出手段と、前記ジッター量に基づき、前記光ディスクの前記回転速度を調整する回転速度調整手段と、を備える。
ジッター量に基づき、光ディスクの回転速度を調整する。したがって、良好な再生が可能となるよう、光ディスクの回転速度を適切に調整可能となる。また、瞬間的なジッター量の値に基づき、光ディスクの回転速度の調整を瞬時に実行可能となる。
【０００６】
また、前記回転速度調整手段は、前記光ディスクの前記再生に先だち、前記回転速度の前記調整を実行するようにできる。
したがって、再生前の段階において、光ディスクが粗悪である等、高速な回転での再生が可能か否かの判別が可能となる。よって、再生開始後の余分な速度調整作業を軽減できる。つまり、高速な回転での再生が可能でない場合には、光ディスクの規格で定められた規定の標準速度でもって再生し、再生中に回転速度の調整を行わずに済む。
【０００７】
さらに、前記回転速度調整手段は、前記ジッター量が閾値以下の場合、前記回転速度を倍速に調整するようにできる。
ここで、倍速とは、ＤＶＤ等の光ディスクの規格で定められた標準速度に対し、１より大きな正数（整数だけでなく整数以外の実数も含む。例えば１．５倍や２．５倍等）を乗じた高速を意味する。
光ディスクの回転速度を倍速に調整することにより、光ディスクの高速な回転が可能となる。よって、光ディスクに傷等の障害が存在したとしても、その高速回転により、再生時において障害の影響を受ける時間を小さくすることができる。このため、再生時において、傷等の障害によるサーボ系の影響を小さくでき、プレイアビリティを向上できる。
【０００８】
本発明に係る光ディスク再生装置は、光ディスクを所定の回転速度で回転させ、当該光ディスクからの反射光に基づき記録信号の再生を行うのであって、前記反射光から得られる信号に基づき、エラーレート量を検出するエラーレート量検出手段と、前記エラーレート量に基づき、前記光ディスクの前記回転速度を調整する回転速度調整手段と、を備える。
エラーレート量に基づき、光ディスクの回転速度を調整する。したがって、良好な再生が可能となるよう、光ディスクの回転速度を適切に調整可能となる。
【０００９】
また、前記回転速度調整手段は、前記光ディスクの前記再生中において、前記回転速度の前記調整を実行するようにできる。
したがって、再生中において、エラーレート量を検出し、光ディスクの回転速度を調整できる。よって、エラーレート量に応じた最適な回転速度に随時調整できる。特に、光ディスクの内周部や外周部などの各部分ごとの傷等に対応して、随時、光ディスクの回転速度を調整できる。
【００１０】
さらに、前記回転速度調整手段は、前記エラーレート量が閾値以下の場合、前記回転速度を倍速に調整するようにできる。
したがって、光ディスクの回転速度を倍速に調整することにより、光ディスクの高速な回転が可能となる。よって、光ディスクに傷等の障害が存在したとしても、その高速回転により、再生時において障害の影響を受ける時間を小さくすることができる。このため、再生時において、傷等の障害によるサーボ系の影響を小さくでき、プレイアビリティを向上できる。
【００１１】
本発明に係る光ディスク再生装置は、光ディスクを所定の回転速度で回転させ、当該光ディスクからの反射光に基づき記録信号の再生を行う光ディスク再生装置のであって、前記反射光から得られる信号に基づき、ジッター量を検出するジッター量検出手段と、前記ジッター量に基づき、前記光ディスクの前記回転速度を調整する回転速度調整手段と、前記反射光から得られる信号に基づき、エラーレート量を検出するエラーレート量検出手段と、前記エラーレート量に基づき、前記光ディスクの前記回転速度を調整する回転速度調整手段と、を備える。
したがって、エラーレート量及びジッター量に基づき、光ディスクの回転速度を調整する。したがって、良好な再生が可能となるよう、光ディスクの回転速度を適切に調整可能となる。また、瞬間的なジッター量の値に基づき、光ディスクの回転速度の調整を瞬時に実行可能となる。
【００１２】
本発明に係るマイクロコンピュータは、前記光ディスク再生装置に用られるのであって、少なくとも前記回転速度調整手段として機能する。
【００１３】
本発明に係る光ディスク再生装置の回転速度制御方法は、光ディスクを所定の回転速度で回転させ、当該光ディスクからの反射光に基づき記録信号の再生を行うのであって、前記反射光から得られる信号に基づき、ジッター量を検出し、前記ジッター量に基づき、前記光ディスクの前記回転速度を調整する。
【００１４】
本発明に係る光ディスク再生装置の回転速度制御方法は、光ディスクを所定の回転速度で回転させ、当該光ディスクからの反射光に基づき記録信号の再生を行うのであって、前記反射光から得られる信号に基づき、エラーレート量を検出し、前記エラーレート量に基づき、前記光ディスクの前記回転速度を調整する。
【００１５】
本発明に係る光ディスク再生装置の回転速度制御方法は、光ディスクを所定の回転速度で回転させ、当該光ディスクからの反射光に基づき記録信号の再生を行うのであって、前記反射光から得られる信号に基づき、ジッター量を検出し、前記ジッター量に基づき、前記光ディスクの前記回転速度を調整し、前記反射光から得られる信号に基づき、エラーレート量を検出し、前記エラーレート量に基づき、前記光ディスクの前記回転速度を調整する。
【００１６】
【発明の実施の形態】
＝＝＝＝基本的な構成及び動作＝＝＝＝
本実施の形態に係る、光ディスクからの反射光に基づき記録信号の再生を行う光ディスク再生（及び／又は記録）装置の構成について、図１及び図２のブロック図を参照にして説明する。
【００１７】
図１に示すように、光ディスク１の再生装置の基本的な構成としては、良く知られているように、光ピックアップ２、ＲＦアンプ３、ディジタル信号プロセッサ（Ｄｉｇｉｔａｌ  Ｓｉｇｎａｌ  Ｐｒｏｃｅｓｓｏｒ、以後、「ＤＳＰ」と称する。）４、ドライバ５、マイクロコンピュータ（以後、「マイコン」と称する、回転速度調整手段）８、及びスピンドルモータ１０を備える。
【００１８】
図２に示すように、ＤＳＰ４は、２値化回路４ａ、ＥＦＭ信号生成回路４ｂ、ＰＬＬ回路４ｃ、信号処理回路（ジッター量検出手段）６、誤り検出訂正回路（エラーレート量検出手段）７、及びサーボ回路９を備える。信号処理回路６は、ジッタ検出回路６ａ、アンプ（増幅器）６ｂ、及びＡ／Ｄコンバータ６ｃを備える。
【００１９】
図１及び図２に示すように、ＤＳＰ４のサーボ回路９は、マイコン８から指令信号ＣＳを受けるとドライバ５に制御信号（フォーカスバランス信号ＦＢＡＬ，トラッキングバランス信号ＴＢＡＬ，モータ制御信号ＭＴＲ）を出力する。これら制御信号ＦＢＡＬ，ＴＢＡＬ，ＭＴＲに基づき、ドライバ５は、光ピックアップ２及びスピンドルモータ１０を駆動する。その結果、光ディスク１は所定の回転速度で回転するとともに、光ピックアップ２は、光ディスク１のリードイン領域に移動する。この光ピックアップ２は、光ディスク１にレーザ光を照射し、その反射光を受光することで、ＲＦ信号（反射光から得られる信号）を読み取る。ＲＦアンプ３は、光ピックアップ２が読み取ったＲＦ信号を増幅してＤＳＰ４に出力する。この読み取ったＲＦ信号に応じ、ＤＳＰ４のサーボ回路９は、光ピックアップ２のフォーカスを光ディスク１０のピット面に合わせるよう制御信号を生成し、フォーカシング・サーボ及びトラッキング・サーボを確立する。
【００２０】
ＤＳＰ４の動作について詳しく説明すると、図２に示すように、ＲＦ信号は、２値化回路４ａで２値化され、ＥＦＭ信号生成回路４ｂでＥＦＭ復調される。このＥＦＭ信号生成回路４ｂからのＥＦＭ信号ＥＦＭＯは、ジッタ検出回路６ａ及び誤り検出訂正回路７に出力される。そして、ジッタ検出回路６ａは、ＰＬＬ回路４ｃからのＰＬＬクロック信号ＰＬＣＫに基づき、ＥＦＭ信号ＥＦＭＯからジッター（ディジタル信号の時間軸方向の揺れ）量を検出してアンプ６ｂへ出力する。アンプ６ｂは、ジッタ検出回路６ａの出力を増幅してＡ／Ｄコンバータ６ｃへ出力する。Ａ／Ｄコンバータ６ｃは、デジタル信号としてのジッター量ＪＶをマイコン８へ出力する。また、誤り検出訂正回路７は、ＥＦＭ信号ＥＦＭＯについて誤り検出訂正の処理を実行し、その結果に応じたエラーレート量ＥＲを検出する。
【００２１】
一方、再生処理として、ＤＳＰ４は、２値化されたＲＦ信号に基づき、ＥＦＭ復調や誤り訂正等の処理を実行し、再生信号として、ディジタルオーディオ信号やディジタル映像信号を得る。
【００２２】
＝＝＝＝回転速度の調整＝＝＝＝
本実施の形態に係る光ディスク再生装置において、マイコン８は、光ディスクのスピンドルモータ１０による回転に関し、その回転速度の調整機能（以後、単に「回転制御」と適宜称する）を有する。この回転制御は、光ディスクの再生前の初期自動調整と、実際の再生中の逐次調整（リアルタイム調整）との二つの段階（ステージ）に分けられる。すなわち、図３のフローチャートに示すように、光ディスクの再生前のステージでは、ジッター量に基づき回転制御を実行し（Ｓ１０乃至Ｓ４０）、光ディスクの再生中のステージでは、エラーレート量に基づき回転制御を実行する（Ｓ５０以降）。
【００２３】
まず、再生前のステージについて説明する。光ディスクの再生に先だち、前述したように、ジッター量の検出を実行し（Ｓ１０）、このジッター量が閾値を超えているか否かについてマイコン８は判断する（Ｓ２０）。なお、この閾値のデータは、予めマイコン８のＲＯＭに参照テーブルとして記憶されている。ジッター量が閾値を超えている場合には（Ｓ２０：ＹＥＳ）、回転速度を１倍の標準モード（ＤＶＤ等の光ディスクの規格で定められた標準速度）に設定し（Ｓ３０）、後の実際の再生時において、この設定に基づき、マイコン８はサーボ回路９へ指令信号を送出する。
【００２４】
ここで、Ｓ２０におけるジッター量が閾値を超えている場合とは、低品質若しくは粗悪な光ディスクと判定されたのであって、プレイアビリティを向上すべく高速回転ができないことを意味する。すなわち、ジッター量が閾値を超える程度に大きい場合とは、得られたＲＦ信号について、その時間軸方向の揺れが大きく正常な再生に耐えることができないことを意味し、以て現状の高速回転ではプレイアビリティを向上できないのである。
【００２５】
また、再生前のステージにおいて、粗悪な光ディスクの判別が可能であることにより、再生開始後の余分な速度調整作業を軽減できる。つまり、高速な回転での再生が可能でない場合には、標準速度でもって再生し、再生中に回転速度の調整を行わずに済む。また、瞬間的なジッター量の値に基づき、光ディスクの回転速度の調整を瞬時に実行可能となる。この瞬時の調整は、短時間の処理を要求される再生前の調整に有効である。
【００２６】
一方、ジッター量が閾値を超えていない場合には（Ｓ２０：ＮＯ）、回転速度を例えば１．５倍の高速モード（ＤＶＤ等の光ディスクの規格で定められた標準速度の１．５倍）に設定し（Ｓ４０）、後の実際の再生時において、この設定に基づき、マイコン８はサーボ回路９へ指令信号を送出する。すなわち、該当の光ディスクは、高速回転させても十分に記録信号を再生でき、プレイアビリティを向上できることを意味する。すなわち、ジッター量が閾値を超えない程度に小さい場合とは、得られたＲＦ信号について、その時間軸方向の揺れが大きくなく正常な再生に耐えられることを意味し、以て現状の高速回転ではプレイアビリティを向上できる。よって、光ディスクに傷等の障害が存在したとしても、その高速回転により、再生時において障害の影響を受ける時間を小さくすることができる。例えばブロックノイズと呼ばれるブロック単位のノイズを低減できる。このため、再生時において、傷等の障害によるサーボ系の影響を小さくすることができる。
【００２７】
次に、再生中のステージについて説明する。前述した再生前のステージにおいて、粗悪な光ディスクと判別され、標準モードの回転速度で再生する場合、その高速化を図れないため、再生処理を開始してから再生終了に至るまで（Ｓ５０乃至Ｓ６０）、エラーレート量に拘わり無く、標準モードの回転速度を維持する。
【００２８】
一方、前述した再生前のステージにおいて、高速回転での再生が可能な光ディスクと判別された場合には、再生中において、所定のサンプリング周期で検出したエラーレート量に基づき、回転速度の調整を実行する。つまり、再生中の信号が記録された光ディスクの各部位につき、エラーレート量に基づく回転速度の調整を実行することになる。すなわち、再生処理を開始すると（Ｓ７０）、エラーレート量を検出し（Ｓ８０）、このエラーレート量が閾値を超えているか否かについてマイコン８は判断する（Ｓ９０）。なお、この閾値のデータは、予めマイコン８のＲＯＭに参照テーブルとして記憶されている。エラーレート量が閾値を超えている場合には（Ｓ９０：ＹＥＳ）、回転速度が１．５倍では記録信号を十分に再生できないとして、１倍の標準モードに落として設定し（Ｓ１００）、この設定に基づき、マイコン８はサーボ回路９へ指令信号を送出する。反対に、エラーレート量が閾値を超えていない場合には（Ｓ９０：ＮＯ）、１．５倍の高速モードの設定を維持し（Ｓ１１０）、この設定に基づき、マイコン８はサーボ回路９へ指令信号を送出する。そして、再生処理を終了するまで（Ｓ１２０：ＹＥＳ）、Ｓ７０からの処理を繰り返す。
【００２９】
このように、再生中において、所定のサンプリング周期で、エラーレート量を検出し、光ディスクの回転速度を調整ることにより、エラーレート量に応じた最適な回転速度に随時調整できる。特に、光ディスクの内周部や外周部などの各部分ごとの傷等に対応して、随時、光ディスクの回転速度を調整できる。
【００３０】
＝＝＝＝その他＝＝＝＝
光ディスクを回転させるにあたり、高速に回転できればよく、倍速に限らずアナログ的な高速回転制御を行う事も可能である。すなわち、倍速とは、ＤＶＤ等の光ディスクの規格で定められた標準速度に対し、１より大きな正数（整数だけでなく整数以外の実数も含む。例えば１．５倍や２．５倍等）を乗じた高速を意味する。この回転の高速の程度については、光ディスクにおける記録信号（ピット）の読み取り可能な範囲内で、出来る限り高速であることが望ましい。このことにより、光ディスクに傷等の障害が存在したとしても、その高速回転により、再生時において障害の影響を受ける時間を小さくすることができる。このため、再生時において、傷等の障害によるサーボ系の影響を小さくでき、プレイアビリティを向上できる。
【００３１】
【発明の効果】
ジッター量に基づき、光ディスクの回転速度を調整する場合には、良好な再生が可能となるよう、光ディスクの回転速度を適切に調整可能となる。また、瞬間的なジッター量の値に基づき、光ディスクの回転速度の調整を瞬時に実行可能となる。
【００３２】
エラーレート量に基づき、光ディスクの回転速度を調整する場合には、良好な再生が可能となるよう、光ディスクの回転速度を適切に調整可能となる。
【図面の簡単な説明】
【図１】本発明の一実施の形態に係る光ディスク再生装置のブロック図である。
【図２】本発明の一実施の形態に係る光ディスク再生装置の要部ブロック図である。
【図３】本発明の一実施の形態に係る光ディスク再生装置による、光ディスクの回転速度の調整動作を示すフローチャートである。
【符号の説明】
１    光ディスク
２    光ピックアップ
３    ＲＦアンプ
４    ディジタル信号プロセッサ
５    ドライバ
６    信号処理回路
６ａ  ジッタ検出回路
６ｂ  アンプ
６ｃ  Ａ／Ｄコンバータ
７    誤り検出訂正回路
８    マイコン（マイクロコンピュータ）
９    サーボ回路
１０  スピンドルモータ
【図１】
2004310909.tif 000003
【図２】
2004310909.tif 000004
【図３】
2004310909.tif 000005